(57)【要約】      （修正有）【課題】組み立て性や使い勝手が良い可動操作部を備えた加熱調理器を提供する。【解決手段】本体前面に配置し、本体から突出して上面を操作面５ａとする操作部５と、操作部５を回動自在に収納する操作部ケース１７と、を備えた加熱調理器において、操作部ケース１７は、下端部に略上方に開口する開口部を備えＣ形断面形状の軸受け部を設け、操作部５は、下端に腕部を備え腕部の側面で略水平方向に延びる軸を設け、操作部ケース１７の軸受け部に操作部５の軸を略上方から嵌合し、操作部５を回動自在に装着する。【選択図】図７
2015075250.tif 000002
【特許請求の範囲】
【請求項１】
本体前面に配置し、該本体から突出して上面を操作面とする操作部と、
前記操作部を回動自在に収納する操作部ケースと、
を備えた加熱調理器において、
前記操作部ケースは、下端部に略上方に開口する開口部を備えＣ形断面形状の軸受け部を設け、前記操作部は、下端に腕部を備え該腕部の側面で略水平方向に延びる軸を設け、前記操作部ケースの前記軸受け部に前記操作部の前記軸を略上方から嵌合し、前記操作部を回動自在に装着することを特徴とする加熱調理器。
【請求項２】
前記腕部から前記軸の先端部まで前記軸を分割するスリットを備えたことを特徴とする請求項１記載の加熱調理器。
【発明の詳細な説明】
【技術分野】
【０００１】
本発明は、回動により本体に没入と突出を自在とする操作部を備えた加熱調理器に関するものである。
【背景技術】
【０００２】
従来のこの種の加熱調理器においては、特許文献１に示すように、器体前面に収納ケースを装着し、収納ケースは額縁状のフランジ部を有する樹脂成形品で、前端部下端の左右両側部に軸部を設け、可動枠は上板部を有する樹脂成形品で、上板部には設定、表示する操作盤を固定し、可動枠の前端部下部の左右両端部にＣ字状の切欠きを形成し、可動枠の切欠きに収納ケースの軸部を嵌め込むことで、収納ケースに可動枠が軸部を支点にして突出位置と没入位置とに回動自在に支持されるものがある。
【先行技術文献】
【特許文献】
【０００３】
【特許文献１】特開２０１２−２２５６０４号公報
【発明の概要】
【発明が解決しようとする課題】
【０００４】
従来技術１に示す支持部は、円柱形状した軸部の円周部の一部を収納ケースと固定しているため、可動枠の可動範囲は、可動枠のＣ字状の切欠き部の両端が軸部の固定部とあたる範囲となる。そのため、大きな可動範囲を得ようとするとＣ字状の切欠き部が大きくなり、可動枠が容易に外れてしまう課題が発生する。
【０００５】
また、可動枠の切欠きに収納ケースの軸部を嵌め込むとき、軸部の摺動面に傷を付ける可能性があり、傷が付くと収納ケースの開閉動作が悪くなる可能性が考えられる。
【０００６】
本発明は、組み立て性や使い勝手が良い可動操作部を備えた加熱調理器を提供することを目的とする。
【課題を解決するための手段】
【０００７】
本発明は上記の課題を解決するためになされたものであり、本体前面に配置し、該本体から突出して上面を操作面とする操作部と、前記操作部を回動自在に収納する操作部ケースと、を備えた加熱調理器において、前記操作部ケースは、下端部に略上方に開口する開口部を備えＣ形断面形状の軸受け部を設け、前記操作部は、下端に腕部を備え該腕部の側面で略水平方向に延びる軸を設け、前記操作部ケースの前記軸受け部に前記操作部の前記軸を略上方から嵌合し、前記操作部を回動自在に装着するものである。
【発明の効果】
【０００８】
本発明によれば、組み立て性や使い勝手が良い可動操作部を備えた加熱調理器を提供することができる。
【図面の簡単な説明】
【０００９】
【図１】一実施例の加熱調理器をシステムキッチンに収納した状態の斜視図。
【図２】図１のＡ−Ａ断面図。
【図３】図１のＢ−Ｂ断面図。
【図４】一実施例の加熱調理器をシステムキッチンに収納した状態の正面図。
【図５】同操作ユニット、パネル部の展開図。
【図６】同操作ユニットの操作部の突出状態の正面図。
【図７】同操作ユニットの操作部の突出状態の側面図。
【図８】図６のＦ部拡大図。
【図９】図７のＧ部拡大図。
【図１０】図８のＣ−Ｃ断面図。
【図１１】一実施例の操作部ケースの斜視図。
【図１２】図１１のＤ部拡大図。
【図１３】一実施例の操作部の斜視図。
【図１４】図１３のＥ部拡大図。
【発明を実施するための形態】
【００１０】
以下、本発明の実施例を図１から図１４に従って説明する。
【００１１】
図１において、加熱調理器の本体２は、システムキッチン１の上面の天板１ａの穴から落とし込んで設置され、設置後は本体２の後述するオーブン（ロースター）４と操作部５がシステムキッチン１の天板１ａの下方の前面部から操作できるようになっており、操作部５は主にオーブン４の電源の入・切やメニューの選択・設定、操作を行う。
【００１２】
調理を行う際の調理鍋（図示せず）は、本体２の上面に配置された耐熱ガラス等からなるプレート３上に載置され、プレート３の周囲端面は、プレート枠１４によって保護されている。
【００１３】
プレート３には載置部６が描かれており、該載置部６に調理鍋を載置することにより調理可能となる。載置部６は、プレート３の上面手前の右に載置部右６ａ、左に載置部左６ｂが配置され、これら両載置部６ａ、６ｂ間の奥（中央後部）に載置部中央６ｃが配置されている。そして、プレート３を挟んで各載置部６の下に位置するように、本体２内の上部に調理鍋を誘導加熱する加熱コイルユニット２５（図２）が設置されている。
【００１４】
また、プレート３の前面側には、上面操作部９とその奥側に位置する上面表示部１０が設けられており、上面操作部９は主に加熱コイルユニット２５（図２）の操作を行う。
【００１５】
図３において、本体２の内部には、発熱部品である加熱コイルユニット２５や電子部品、および、これらの発熱部品を冷却するための送風ファン１２が配置されている。
【００１６】
本体２の前の前吸気口７ｂと、本体２の後部の後吸気口７ａで送風ファン１２の駆動によって外気を吸引する。発熱部品である加熱コイルユニット２５や電子部品を冷却した後の廃熱を本体２外に排出する排気口８が設けられている。なお、排気口８からは、後述するオーブン４の廃熱も同時に排出される。
【００１７】
図１において、オーブン４は魚や肉、ピザ等の被加熱物を焼くためのもので、本体２の前記加熱部の下方に位置し、前面部の左側若しくは右側に配置されている（本実施例では、本体２の左側に配置されている）。なお、オーブンは、呼び名としてロースター、グリルと呼ぶこともある。
【００１８】
図２において、オーブン４について説明する。オーブン４の調理庫２６は、前面に被加熱物３０を出し入れするための開口部である出入り口２６ｄを設けた箱型をしており、内部の上部と下部には被加熱物３０を加熱する加熱手段であるシーズヒータ等の発熱体よりなる上・下ヒータ２７（上ヒータ２７ａ、下ヒータ２７ｂ）が設置されている。出入り口２６ｄの周囲に外郭部材（図示せず）が設けられ、後述のドア３２が押し当てられる。
【００１９】
上ヒータ２７ａ、下ヒータ２７ｂを制御する制御部４５は、オーブン４の上面で、該オーブン４からの熱の影響を受けない場所に配置されており、操作部５や上面操作部９とも連なっている。
【００２０】
また、調理庫２６の出入り口２６ｄは、ドア３２によって塞がれており、ドア３２の外側から、調理庫２６の内部の被加熱物３０の様子等を透視するドアガラス３２ａを備える。ドア３２の表側にハンドル１１が取り付けられ、裏側に受け皿支持部３１ａの前面に設けたツメに引っ掛けて着脱自在に連結されている。受け皿支持部３１ａは調理庫２６に固定されたスライド式レール（図示せず）に固定されている。その受け皿支持部３１ａの上面には着脱自在に受け皿３１が載置されている。受け皿３１は、調理庫２６内にその前面開口部から出し入れ自在に収納されている。さらに、受け皿３１には焼き網３３が載せられる構成をなし、被加熱物３０が焼き網３３の上に載せられるようになっている。
【００２１】
図５において、操作ユニット５６に対するパネル部５５の取り付けを説明する。
【００２２】
操作ユニット５６は電源スイッチ１９を前側に備える操作部ケース１７と操作部ケース１７に没入する操作部５で構成する。パネル部５５は、電源スイッチ１９をのぞませるように穴１８ａを設けて操作部ケース１７に取り付ける前面パネル１８と、操作部５の操作部前面５ｂに取り付ける化粧カバー５０により構成する。化粧カバー５０は前面にガラス５１を取り付けている。
【００２３】
図１、図３から図５、に示すように、操作部５は、操作部ケース１７に対してヒンジ部３１を支点に回動して没入、突出する所謂カンガルーポケット式である。図１は操作部５が操作部ケース１７から突出した状態で、操作面５ａで操作する状態を示し、図３から図５は操作部５が操作部ケース１７に没入した状態を示す。
【００２４】
図４において、システムキッチン１に組み込まれた本体２の正面には、ドア３２のドアガラス３２ａ、ハンドル１１、ドア３２の右に隣接する化粧カバー５０、化粧カバー５０の上部に配置した前面パネル１８によって意匠を構成している。
【００２５】
図６から図１４において、操作ユニット５６のヒンジ部３１の構造を説明する。図６は操作部ケース１７から操作部５が突出した状態の正面図、図７は操作部ケース１７から操作部５が突出した状態の側面図、図８は、図６のＦ部拡大図で、操作ユニット５６のヒンジ部３１の正面図である。図９は図７のＧ部拡大図でヒンジ部３１の側面図、図１０は図８のＣ−Ｃ断面図で、ヒンジ部３１の断面図である。図１１は、操作部ケース１７の斜視図で、図１２は、図１１のＤ部拡大図で、ヒンジ部３１を構成する要部拡大図である。図１３は、操作部５の斜視図で、図１４は、図１３のＥ部拡大図で、ヒンジ部３１を構成する要部拡大図である。
【００２６】
図８に示すようにヒンジ部３１は、操作部ケース１７の軸受け部８０と操作部５の軸６１を主要部品として構成されている。
【００２７】
図１１、図１２において操作部ケース１７と軸受け部８０について説明する。操作部ケース１７は樹脂成形品で額縁状に前面１７ｙを形成し、後部に操作部５を収容する収容部１７ｗを備える。前面１７ｙの下端部１７ａには前後方向に配置したビード部１７ｂを備えている。ビード部１７ｂの前側の先端にＣ形断面形状の軸受け部８０を設けている。軸受け部８０は略上方に開口する開口部８１を備え、開口部８１の中側は、後述する軸６１を保持するべくＲ面状に形成した支持部８２を備えている。操作部ケース１７の前面１７ｙの下端部１７ａの左右に設けたビード部１７ｂに軸受け部８０を１つずつ配置する。
【００２８】
図１３、図１４において操作部５と軸６１について説明する。操作部５は樹脂成形品で上面に操作キーの入力操作や表示などを行う操作面５ａを備え、収容部１７ｗに収容されると略正面を向くように操作部前面５ｂを備える。操作部前面５ｂの下部には左右につながった前側ビード６６を備えている。前側ビード６６の左右端下部に下方へ延びる腕部６０を設けている。腕部６０の下端部の側面で外方向へ略水平方向に延びる軸６１を設けている。
【００２９】
軸６１は、腕部６０に半円筒形の平面側を合わせて前後に配置した形状で、前後に分割してひとつの軸体とするもので、略円柱形状を成す摺動部６３を設ける。そして、摺動部６３の腕部６０と反対側に摺動部６３より直径が大きい底面を備えた半円錐形の平面側を合わせて前後に配置した形状で、前後に分割してひとつの張り出し部材とする抜け止め部６２を備える。軸６１は腕部６０から抜け止め部６２の先端部６５までスリット６４を設けている。そのスリット６４により軸６１は前後が分割された形状である。そこで軸６１の摺動部６３を前後に押し潰すことによりスリット６４が押し潰され、押し潰しから解放されるとスリット６４は押し潰しから復元するものである。
【００３０】
そして操作部５の下端の左右に設けた腕部６０に外向きの軸６１を１つずつ配置する。
【００３１】
図６において、操作ユニット５６の操作部ケース１７と操作部５はヒンジ部３１で装着される。右側のヒンジ部３１をＦ部とし、図８にてＦ部の拡大図を示す。操作部ケース１７に操作部５を装着した状態で、操作面５ａは略上面を向く。
【００３２】
図８、図９、図１０において操作部ケース１７は、下端部１７ａに略上方に開口する開口部８１を備えＣ形断面形状の軸受け部８０を設けている。操作部５は、下端に腕部６０を備え腕部６０の側面で略水平方向に延びる軸６１を設けている。操作部ケース１７の軸受け部８０に操作部５の軸６１を略上方から嵌合すると、軸受け部８０の支持部８２に軸６１の摺動部６３が嵌合して、開口部８１から摺動部６３が容易に脱落しないものである。また軸受け部８０に対して軸６１は左右方向のガタツキに対して、操作部５の腕部６０と抜け止め部６２によって規制されることで、左右方向で軸受け部８０から脱落することなく保持するものである。そして、操作ケース１７に対して、操作部５を回動自在に装着するものである。
【００３３】
さらに、軸受け部８０に軸６１を嵌合する動作を説明する。腕部６０から軸６１の先端部６５まで軸６１を前後に分割するスリット６４を備えている。そして、軸６１は前後に分割しているが略円柱形状の軸体としての働きをするものである。この軸６１は前後に押し潰されることでスリット６４が潰れたときには小さい直径ｄ１（図示せず）の略円柱形状となり、前後に押し潰すことが解除されるとスリット６４が復元して大きい直径ｄ２（図示せず）の略円柱形状となる。
【００３４】
ここで、軸受け部８０の開口部８１の寸法ｄ３（図示せず）は、前記した大きい直径ｄ２の略円柱形状の直径寸法ｄ２よりも狭く、小さい直径ｄ１の略円柱形状の直径寸法ｄ１より大きいものである（ｄ１＜ｄ３＜ｄ２）。そして、軸受け部８０のＲ形状の支持部８２の内径寸法ｄ４（図示せず）は、前記した、大きい直径ｄ２の略円柱形状の直径寸法ｄ２と略同じものである（ｄ２≒ｄ４）。
【００３５】
よって、軸受け部８０の開口部８１に軸６１の摺動部６３を押し当てると、開口部８１によりスリット６４が押し潰れて、開口部８１を摺動部６３が通過する。その後、軸受け部の支持部８２では押し潰れていたスリット６４が復元して軸６１が前後に広がって軸６１の摺動部６３が軸受け部８０の支持部８２に嵌合し、回動自在となる。
【００３６】
さらに、図７において、操作面５ａの操作入力を行うときの操作力Ｐは矢印で示す方向で加わる。
【００３７】
ここで、図９、図１０にも示すように、操作力Ｐが矢印方向に加わるときに、操作部５の軸６１によって軸受け部８０に伝わる力は軸受け部８０の支持部８２で軸６１の摺動部６３が嵌る方向と略同一方向に、開口部８１の奥側に支持部８２を備える構成である。
【００３８】
そのことにより、操作部５に加わる操作力Ｐの延長線上に、操作部ケース１７の下端部１７ａに設けて、強化したビード部１７ｂの先端に設けた軸受け部８０の開口部８１と支持部８２を設けて軸６１の摺動部６３が支持部８２に嵌る方向で支持しているので、操作力Ｐが軸６１と軸受け８０に加わっても軸６１が外れたり、軸６１と軸受け部８０が壊れたりする方向ではないものである。
【００３９】
以上の本実施例の構成によって、調理する状態を説明する。
【００４０】
オーブン４のドア３２のハンドル１１を引くと、ドア３２と係止してスライドレールに固定された受け皿支持部３１ａが引き出され、受け皿支持部３１ａに載置した受け皿３１と、受け皿３１に載置した焼き網３３が調理庫２６の外に現れる。焼き網３３に被加熱物３０を載置してドア３２を閉める。化粧カバー５０を軽く押し込むことによりラッチが外れて操作部５が操作部ケース１７から出て、操作面５ａが現れてくる。操作面５ａで調理の設定を操作し表示を確認して、加熱開始の操作を操作する。上・下ヒータ２７によって被加熱物３０が加熱されて調理ができる。調理中に焼き色、焼け具合をドア３２の外側から調理庫２６の内部を見て、焼き色や、焼け具合、被加熱物の火の通り具合を観察して、焼き具合を調整する場合は操作面５ａで操作して、進捗に応じた作業をする。目視した状態でよければ、火を止めてオーブン４のドア３２を開けて、引き出された焼き網３３に載置した被加熱物３０を取り上げる。ドア３２を閉め、操作部５を操作部ケース１７の中に没入するよう化粧カバー５０を押して戻す。
【００４１】
以上、本実施例によれば、組み立て性や使い勝手が良い加熱調理器を得ることができる。
【符号の説明】
【００４２】
２  本体、５  操作部、５ａ  操作面、１７  操作部ケース、１７ａ  下端部、
６０  腕部、６１  軸、６４  スリット、６５  先端部、８０  軸受け部、８１  開口部、８２  支持部、Ｐ  操作力
【図１】
2015075250.tif 000003
【図２】
2015075250.tif 000004
【図３】
2015075250.tif 000005
【図４】
2015075250.tif 000006
【図５】
2015075250.tif 000007
【図６】
2015075250.tif 000008
【図７】
2015075250.tif 000009
【図８】
2015075250.tif 000010
【図９】
2015075250.tif 000011
【図１０】
2015075250.tif 000012
【図１１】
2015075250.tif 000013
【図１２】
2015075250.tif 000014
【図１３】
2015075250.tif 000015
【図１４】
2015075250.tif 000016